(57)【要約】      （修正有）【課題】改良された３枚型の撮像レンズを提供する【解決手段】撮像レンズは物体側から像面側へ順次に、正の屈折力を有する第１のレンズ（焦点距離ｆ１）Ｌ１と、負の屈折力を有する第２のレンズ（焦点距離ｆ２）Ｌ２と、正の屈折力を有する第３のレンズ（焦点距離ｆ３）Ｌ３とが設けられ、且つ、以下の条件式を満足する、０．７＜ｆ１／ｆ＜０．９、−５＜ｆ２／ｆ＜−２．５、１．６＜ｆ３／ｆ＜５．８、ｆ：撮像レンズ全体の焦点距離、ｆ１：第１のレンズの焦点距離、ｆ２：第２のレンズの焦点距離、ｆ３：第３のレンズの焦点距離である。【選択図】図１
2018013759.tif 000002
【特許請求の範囲】
【請求項１】
物体側から像面側へ順次に正の屈折力を有する第１のレンズと、負の屈折力を有する第２のレンズと、正の屈折力を有する第３のレンズとが設けられ、且つ以下の条件式（１）〜（３）を満足することを特徴とする撮像レンズ。
０．７＜ｆ１／ｆ＜０．９                    （１）
−５＜ｆ２／ｆ＜−２．５                    （２）
１．６＜ｆ３／ｆ＜５．８                    （３）
但し、
ｆ：前記撮像レンズ全体の焦点距離
ｆ１：第１のレンズの焦点距離
ｆ２：第２のレンズの焦点距離
ｆ３：第３のレンズの焦点距離。
【請求項２】
前記撮像レンズはさらに以下の条件式（１ａ）〜（３ａ）を満足することを特徴とする請求項１に記載の撮像レンズ。
２．０ｍｍ＜ｆ１＜３．０ｍｍ                （１ａ）
−１０ｍｍ＜ｆ２＜−８．５ｍｍ              （２ａ）
８．５ｍｍ＜ｆ３＜１５ｍｍ                  （３ａ）。
【請求項３】
前記撮像レンズはさらに以下の条件式（１ｂ）〜（３ｂ）を満足することを特徴とする請求項１に記載の撮像レンズ。
１．５０＜ｎ１＜１．５５                      （１ｂ）
１．６０＜ｎ２＜１．７０                      （２ｂ）
１．５０＜ｎ３＜１．５５                      （３ｂ）
但し、
ｎ１：第１のレンズの屈折率
ｎ２：第２のレンズの屈折率
ｎ３：第３のレンズの屈折率。
【請求項４】
前記撮像レンズはさらに以下の条件式（１ｃ）〜（３ｃ）を満足することを特徴とする請求項１に記載の撮像レンズ。
４０＜ｖ１＜６０                      （１ｃ）
１５＜ｖ２＜３０                      （２ｃ）
４０＜ｖ３＜６０                      （３ｃ）
但し、
ｖ１：第１のレンズのアッベ数
ｖ２：第２のレンズのアッベ数
ｖ３：第３のレンズのアッベ数。
【請求項５】
前記第１のレンズは正の屈折力を有するレンズであり、前記撮像レンズの主な屈折力を負担し、光学全長を減少することに有利であり、前記第１のレンズの焦点距離は２．０ｍｍ＜ｆ１＜３．０ｍｍという条件式を満足することを特徴とする請求項１に記載の撮像レンズ。
【請求項６】
前記第２のレンズは、高屈折率で低アッベ数の材料を採用して、色差を合理的に較正することができ、前記第２のレンズは１．６０＜ｎ２＜１．７０、１５＜ｖ２＜３０という条件式を満足することを特徴とする請求項１に記載の撮像レンズ。
但し、
ｎ２：第２のレンズの屈折率
ｖ２：第２のレンズのアッベ数。
【請求項７】
前記撮像レンズの焦点距離と光学全長との比は、以下の条件式を満足することを特徴とする請求項１に記載の撮像レンズ。
ｆ／ＴＴＬ＞０．７５
但し、
ｆ：前記撮像レンズ全体の焦点距離
ＴＴＬ：前記第１のレンズの物体側面から像面までの軸においての距離。
【請求項８】
前記撮像レンズのＦ値であるＦＮｏはＦＮｏ＜２．５という条件式を満足することを特徴とする請求項１に記載の撮像レンズ。
但し、
ＦＮｏは前記撮像レンズ全体の焦点距離と入射瞳径との比である。
【請求項９】
前記撮像レンズはさらに前記第１のレンズと前記第２のレンズとの間に設けられる絞りを備えることを特徴とする請求項１に記載の撮像レンズ。
【請求項１０】
前記像面は共平面ではない複数の子像面から弧形で亘って接合して形成され、且つ前記撮像レンズの光軸に対して対称的に設けられ、前記像面は非平面構成であり、像面湾曲を較正することができることを特徴とする請求項１に記載の撮像レンズ。
【発明の詳細な説明】
【技術分野】
【０００１】
本発明は撮像レンズに関し、特に携帯型電子デバイスに用いられる撮像レンズに関する。
【背景技術】
【０００２】
近年、小型の撮像レンズの顕著な発展に伴い、マイクロ型の像取得モジュールに対する需要がますます高まっているが、一般的に撮像レンズの受光素子としては、感光結合素子又は相補性金属酸化導体素子との２種類以外にない。半導体製造プロセスの発展に伴い、受光素子の画素のサイズはさらに小さくなっている上、現在の電子製品は、機能が優れ且つ軽薄短小化とすることが発展の方向性となっているため、良好な結像品質を有する小型化の撮像レンズが市場の主流になる。
【０００３】
従来の三枚型の撮像レンズは、既に十分に成長しており、物体側から像側に順次、正の屈折力を有する第１のレンズと、負の屈折力を有する第２のレンズと、第３のレンズとが設けられ、当該撮像レンズの像面を平面としている。像面湾曲を較正するために、前記第３のレンズを負の屈折力のレンズに設定する必要がある。しかしながらこの構成では、光学全長を短縮する点においては、一定の制限がある。なお、従来の三枚型の撮像レンズの前記第１のレンズと、前記第２のレンズと、前記第３のレンズとの屈折率の割当及び形状では不十分であるため、感度は高くなく、さらに色差などを較正することができないため、光学特性が顕著ではなくなってしまう。
【０００４】
従って、上述の欠陥を克服するために、改良の三枚型の撮像レンズを提供する必要がある。
【発明の概要】
【発明が解決しようとする課題】
【０００５】
上述した技術的課題を解決するために、本発明は新型の撮像レンズを提供し、面型を合理的に最適化し、屈折力を合理的に割り当て、光学材料を合理的に選択することにより、長焦点距離系が小型化された三枚型の撮像レンズの設計を実現した。当該撮像レンズは携帯式電子デバイスに適用することができ、結像が鮮明で、光学特性が良い。
【課題を解決するための手段】
【０００６】
本発明に係る撮像レンズは、物体側から像側へ順次に正の屈折力を有する第１のレンズと、負の屈折力を有する第２のレンズと、正の屈折力を有する第３のレンズとが設けられ、且つ以下の条件式（１）〜（３）を満足する。
０．７＜ｆ１／ｆ＜０．９                    （１）
−５＜ｆ２／ｆ＜−２．５                    （２）
１．６＜ｆ３／ｆ＜５．８                    （３）
但し、
ｆ：前記撮像レンズ全体の焦点距離
ｆ１：第１のレンズの焦点距離
ｆ２：第２のレンズの焦点距離
ｆ３：第３のレンズの焦点距離。
【０００７】
本発明に係る撮像レンズの一つの好ましい実施例において、前記撮像レンズはさらに以下の条件式（１ａ）〜（３ａ）を満足する。
２．０ｍｍ＜ｆ１＜３．０ｍｍ            （１ａ）
−１０ｍｍ＜ｆ２＜−８．５ｍｍ          （２ａ）
８．５ｍｍ＜ｆ３＜１５ｍｍ              （３ａ）。
【０００８】
本発明に係る撮像レンズの一つの好ましい実施例において、前記撮像レンズはさらに以下の条件式（１ｂ）〜（３ｂ）を満足する。
１．５０＜ｎ１＜１．５５                      （１ｂ）
１．６０＜ｎ２＜１．７０                      （２ｂ）
１．５０＜ｎ３＜１．５５                      （３ｂ）
但し、
ｎ１：第１のレンズの屈折率
ｎ２：第２のレンズの屈折率
ｎ３：第３のレンズの屈折率。
【０００９】
本発明に係る撮像レンズの一つの好ましい実施例において、前記撮像レンズはさらに以下の条件式(１ｃ)〜(３ｃ)を満足する。
４０＜ｖ１＜６０                      （１ｃ）
１５＜ｖ２＜３０                      （２ｃ）
４０＜ｖ３＜６０                      （３ｃ）
但し、
ｖ１：第１のレンズのアッベ数
ｖ２：第２のレンズのアッベ数
ｖ３：第３のレンズのアッベ数。
【００１０】
本発明に係る撮像レンズの一つの好ましい実施例において、前記第１のレンズは正の屈折力のレンズであり、前記撮像レンズの主な屈折力を負担し、光学全長を減少することに有利であり、前記第１のレンズの焦点距離は２．０ｍｍ＜ｆ１＜３．０ｍｍという条件式を満足する。
【００１１】
本発明に係る撮像レンズの一つの好ましい実施例において、前記第２のレンズは、高屈折率で低アッベ数の材料を採用して、色差を合理的に較正することができ、前記第２のレンズは１．６０＜ｎ２＜１．７０、１５＜ｖ２＜３０という条件式を満足する。
但し、
ｎ２：第２のレンズの屈折率
ｖ２：第２のレンズのアッベ数。
【００１２】
本発明に係る撮像レンズの一つの好ましい実施例において、前記撮像レンズの焦点距離と光学全長との比は、以下の条件式を満足する。
ｆ／ＴＴＬ＞０．７５
但し、
ｆ：前記撮像レンズ全体の焦点距離
ＴＴＬ：前記第１のレンズの物体側面から像面までの距離。
【００１３】
本発明に係る撮像レンズの一つの好ましい実施例において、前記撮像レンズのＦ値であるＦＮｏはＦＮｏ＜２．５という条件式を満足する。
但し、ＦＮｏは前記撮像レンズ全体の焦点距離と入射瞳径との比である。
【００１４】
本発明に係る撮像レンズの一つの好ましい実施例において、前記撮像レンズはさらに前記第１のレンズと前記第２のレンズとの間に設けられる絞りを備える。
【００１５】
本発明に係る撮像レンズの一つの好ましい実施例において、前記像面は共平面ではない複数の子像面から弧形で亘って接合して形成され、且つ前記撮像レンズの光軸に対して対称的に設けられ、前記像面は非平面構成であり、像面湾曲を較正することができる。
【発明の効果】
【００１６】
関連する技術に比べ、本発明に係る撮像レンズは以下の有益な効果を有する。
【００１７】
（１）本発明は、面型を合理的に最適化し、屈折力を合理的に割り当て、光学材料を合理的に選択することにより、小型の電子デバイスに適用できる結像が鮮明な長焦点距離の撮像レンズを設計した。前記第１のレンズは正レンズであり、前記撮像レンズの主な屈折力を負担し、光学長さを効果的に減少することができる。前記第２のレンズは、高屈折率で低アッベ数の材料を採用することにより、前記撮像レンズの色差を効果的に減少することができる。これにより、前記撮像レンズが高結像性能を取得するとともに、低敏感度と高通光量を有し、且つ以下の優れた光学特性を有し、即ち、ｆ／ＴＴＬ＞０．７５の長焦点距離系の小型化、ＦＮｏ＜２．５の高感度である。
【００１８】
（２）前記像面は非平面構成とされ、共平面ではない複数の子像面から弧形で亘って接合して形成され、且つ前記撮像レンズの光軸に対して対称的に設けられており、前記像面を非平面構成とし、像面湾曲を較正し、光学特性を向上させることができる。
本発明の実施例に係る技術事項をさらに明確に説明するために、以下、実施例の説明に使用される必要な図面を簡単に説明する。当然ながら、以下に説明する図面は本発明の一実施例に過ぎず、当業者が、進歩性の労力をかけることなく、これらの図面に基づき、他の図面を得ることもできる。
【図面の簡単な説明】
【００１９】
【図１】本発明に係る撮像レンズの一つの好ましい実施例の構成を示す模式図である。
【図２】図１に示す撮像レンズの像面湾曲を示す図である。
【図３】図１に示す撮像レンズの歪みを示す図である。
【発明を実施するための形態】
【００２０】
以下、本発明の実施例における図面と結びつけて、本発明の実施例における技術案を明確に完全に説明する。当然ながら、説明する実施例は本発明の一部の実施例に過ぎず、すべての実施例ではない。当業者は、本発明における実施例に基づき、進歩性の労働を付与せずに得られた全ての他の実施例は、何れも本発明の保護範囲に含まれる。
【００２１】
図１に示すように、図１は本発明に係る撮像レンズの一つの好ましい実施例の構成を示す模式図である。図１において、左側は物体側であり、右側は像側である。前記撮像レンズＬＡは主に同軸に設置された三枚のレンズからなり、物体側から像側へ順次に第１のレンズＬ１と、第２のレンズＬ２と、第３のレンズＬ３とが設けられている。前記第１のレンズＬ１と第２のレンズＬ２との間にはさらに絞り１５０が設けられており、前記第３のレンズＬ３と前記像面１９０との間にはガラス平板ＧＦが配置されている。
【００２２】
本実施例において、上述した三つのレンズはいずれもプラスチックレンズであり、その具体的な構成は以下の通りである。
【００２３】
前記第１のレンズＬ１は正レンズであり、正の屈折力を有し、物体側面１１２は凸面であり、像面側面１１４は凸面であり、且つ前記物体側面１１２及び像面側面１１４は非球面であり、前記第１のレンズＬ１の物体側面１１２には一つの変曲点が設けられている。
前記第２のレンズＬ２は負レンズであり、負の屈折力を有し、その物体側面１２２は凹面であり、その像面側面１２４は凸面であり、且つ前記物体側面１２２及び像面側面１２４は非球面であり、前記第２のレンズＬ２の像側面１２４には一つの変曲点が設けられている。
前記第３のレンズＬ３は正レンズであり、正の屈折力を有し、その物体側面１３２は凸面であり、その像面側面１３４は凹面であり、且つ前記物体側面１３２及び像面側面１３４は非球面であり、前記第３のレンズＬ３の物体側面１３２には二つの変曲点と一つの一个停留点が設けられ、前記像面側面１３４には一つの変曲点と一つの停留点が設けられている。
ここで、物体側面が凸面であるとは、物体側面が物体に向けて凸形状に形成することを意味し、物体側面が凹面であるとは、物体側面が物体に向けて凹形状に形成することを意味し、像側面が凸面であるとは、像側面が像面に向けて凸形状に形成することを意味し、像側面が凹面であるとは、像側面が像面に向けて凹形状に形成することを意味する。
【００２４】
前記絞り１５０は前記第１のレンズＬ１と第２のレンズＬ２との間に設けられ、光入射量及び被写界深度を制御することに用いられる。前記ガラス平板ＧＦとしては、ガラスカバーシート又はフィルタを使用してもよく、前記フィルタは光線をフィルタリングする機能を有し、前記フィルターの種類は実際の需要に応じて選択することができる。前記第３のレンズＬ３と前記像面１９０との間には、ガラス平板ＧＦが設けられなくともよい。
【００２５】
前記像面１９０、即ち物体が結像される面は、前記ガラス平板ＧＦにおける前記第３のレンズＬ３から離れる側に位置する。本発明において、前記像面１９０、複数の共平面ではない子像面から弧形で亘って接合して形成され、且つ前記撮像レンズＬＡの光軸に対して対称的に設けられる。前記像面１９０をこのような構成に設計することにより、像面湾曲を較正し、光学特性を向上させることができる。具体的に、像面の両端点から前記光軸の位置まで（最上端から光軸まで、又は最下端から光軸まで）、隣接する子像面は、異なる平面に位置し、且つ前記ガラス平板ＧＦとの光軸においての距離は順次に大きくなり、即ち、最上端と最下端に配布された子像面と前記ガラス平板ＧＦとの光軸においての距離は、最中間に位置する子像面と前記ガラス平板ＧＦとの光軸においての距離よりも小さく、また、最上端の子像面と最下端の子像面は対称的に設けられている。
【００２６】
本発明に係る撮像レンズにおいて、前記撮像レンズＬＡに対する高い結像鮮明度及び長焦点距離の設計要求を満たすために、前記撮像レンズＬＡの第１のレンズＬ１、第２のレンズＬ２、及び第３のレンズＬ３は以下の条件式を満足する必要がある。
０．７＜ｆ１／ｆ＜０．９                    （１）
−５＜ｆ２／ｆ＜−２．５                    （２）
１．６＜ｆ３／ｆ＜５．８                    （３）
但し、
ｆ：前記撮像レンズ全体の焦点距離
ｆ１：第１のレンズの焦点距離
ｆ２：第２のレンズの焦点距離
ｆ３：第３のレンズの焦点距離。
【００２７】
条件式（１）−（３）は、前記第１のレンズＬ１、第２のレンズＬ２、及び第３のレンズＬ３の焦点距離のそれぞれと撮像レンズＬＡ全体の焦点距離との比を限定している。条件式（１）−（３）の範囲外で長焦点距離レンズの小型化や結像鮮明化を実現することは困難である。
【００２８】
なお、前記撮像レンズＬＡが短光学長さ、低敏感度、高感度、低画素色差、低コストのメリットを有するように、最も好ましくは、第１のレンズＬ１、第２のレンズＬ２、及び第３のレンズＬ３のパラメータを以下の範囲内に設定する。
【００２９】
一、焦点距離
前記撮像レンズＬＡの全体の構成において、前記撮像レンズＬＡの第１のレンズＬ１、第２のレンズＬ２、及び第３のレンズＬ３の焦点距離は以下の条件を満足する必要がある。
２．０ｍｍ＜ｆ１＜３．０ｍｍ、−１０ｍｍ＜ｆ２＜−８．５ｍｍ、
８．５ｍｍ＜ｆ３＜１５ｍｍ。
【００３０】
二、屈折率
前記撮像レンズＬＡの全体の構成において、前記撮像レンズＬＡの第１のレンズＬ１、第２のレンズＬ２、及び第３のレンズＬ３の屈折率は以下の条件を満足する必要がある。
１．５０＜ｎ１＜１．５５、１．６０＜ｎ２＜１．７０、
１．５０＜ｎ３＜１．５５、
但し、
ｎ１：第１のレンズの屈折率
ｎ２：第２のレンズの屈折率
ｎ３：第３のレンズの屈折率。
【００３１】
三、アッベ数
前記撮像レンズＬＡの全体の構成において、前記撮像レンズＬＡの第１のレンズＬ１、第２のレンズＬ２、及び第３のレンズＬ３のアッベ数は以下の条件を満足する必要がある。
４０＜ｖ１＜６０、１５＜ｖ２＜３０、４０＜ｖ３＜６０、
但し、
ｖ１：第１のレンズのアッベ数
ｖ２：第２のレンズのアッベ数
ｖ３：第３のレンズのアッベ数。
【００３２】
前記第１のレンズＬ１、前記第２のレンズＬ２、及び前記第３のレンズＬ３の焦点距離、屈折率及びアッベ数は上記の条件を満たさない場合、前記撮像レンズＬＡの色差特性とテレセントリック特性が劣化する可能性があり、しかも、前記撮像レンズＬＡの敏感度を増大させ、前記撮像レンズＬＡの長焦点距離系の小型化を実現し難い、且つ前記撮像レンズＬＡのコストダウンに不利である。
【００３３】
本発明では、前記第１のレンズＬ１は正レンズであり、前記撮像レンズＬＡの主な屈折力を負担し、光学全長を減少することに有利である。前記第２のレンズＬ２は高屈折率で低アッベ数の材料を採用して、光学系の色差を合理的に較正することができる。前記撮像レンズＬＡを構成する三つのレンズはいずれも上述した構成を有し、且つ全ての条件式を満足しているため、製造された前記撮像レンズＬＡは優れた光学特征、ｆ／ＴＴＬ＞０．７５の長焦点距離系の小型化及びＦＮｏ＜２．５の高感度を有し、但し、ＴＴＬは光学長さであり、即ち、前記第１のレンズＬ１の物体側面から像面までの距離であり、ＦＮｏはＦ値であり、即ち、前記撮像レンズ全体の焦点距離と入射瞳径との比である。
【００３４】
以下、実施例を用いて、本発明の撮像レンズＬＡを説明する。実施例に記載された符号は以下の通りである。ここで距離、半径及び中心厚の単位は、ｍｍである。
ｆ：前記撮像レンズ全体の焦点距離
ｆ１：第１のレンズの焦点距離
ｆ２：第２のレンズの焦点距離
ｆ３：第３のレンズの焦点距離
Ｆｎo：Ｆ値
２ω：全画角
Ｓ１：絞り
Ｒ：光学面の曲率半径、レンズの場合は中心曲率半径
Ｒ１：第１のレンズＬ１の物体側面の曲率半径
Ｒ２：第１のレンズＬ１の像面側面の曲率半径
Ｒ３：第２のレンズＬ２の物体側面の曲率半径
Ｒ４：第２のレンズＬ２の像面側面の曲率半径
Ｒ５：第３のレンズＬ３の物体側面の曲率半径
Ｒ６：第３のレンズＬ３の像面側面の曲率半径
Ｒ７：ガラス平板ＧＦの物体側面の曲率半径
Ｒ８：ガラス平板ＧＦの像面側面の曲率半径
ｄ：レンズの中心厚さ又はレンズ間の距離
ｄ１：第１のレンズＬ１の中心厚さ
ｄ２：第１のレンズＬ１の像側面から絞りＳ１までの軸においての距離
ｄ３：絞りＳ１から第２のレンズＬ２の物体側面までの軸においての距離
ｄ４：第２のレンズＬ２の中心厚さ
ｄ５：第２のレンズＬ２の像側面から第２のレンズＬ３の物体側面までの軸においての距離
ｄ６： 第３のレンズＬ３の中心厚さ
ｄ７：第３のレンズＬ３の像面側面からガラス平板ＧＦの物体側面までの軸においての距離
ｄ８：ガラス平板ＧＦの中心厚さ
ｄ９：ガラス平板ＧＦの像側面から像面までの軸においての距離
ｎｄ：ｄ線の屈折率
ｎｄ１：第１のレンズＬ１のｄ線の屈折率
ｎｄ２：第２のレンズＬ２のｄ線の屈折率
ｎｄ３：第３のレンズＬ３のｄ線の屈折率
ｎｄ４：ガラス平板ＧＦのｄ線の屈折率
ｖ：アッベ数
ｖ１：第１のレンズＬ１のアッベ数
ｖ２：第２のレンズＬ２のアッベ数
ｖ３：第３のレンズＬ３のアッベ数
ｖ４：ガラス平板ＧＦのアッベ数
ＴＴＬ：光学長さ(第１のレンズＬ１の物体側面から結像面までの軸においての距離)
ＬＢ：第３のレンズＬ３の像面側面から結像面までの軸においての距離(ガラス平板ＧＦの厚さを含む)
ＩＨ：像高
ｙ＝(ｘ２／Ｒ)／[１＋{１−(ｋ＋１)(ｘ２／Ｒ２)}１／２]
＋Ａ４ｘ４＋Ａ６ｘ６＋Ａ８ｘ８＋Ａ１０ｘ１０＋Ａ１２ｘ１２＋Ａ１４ｘ１４＋Ａ１６ｘ１６       （４）
但し、Ｒは軸においての曲率半径、ｋは円錐係数、Ａ４、Ａ６、Ａ８、Ａ１０、Ａ１２、Ａ１４、Ａ１６は非球面係数である。
【００３５】
簡便のため、各レンズ面の非球面としては、条件式（４）で表される非球面を使用しているものの、条件式（４）で表れる非球面多項式の形式に限定されるものではない。
【００３６】
図１は本実施例の構成を示す模式図である。表１には、実施例１において撮像レンズＬＡを構成する第１のレンズＬ１〜第３のレンズＬ３の物体側及び像面側の曲率半径Ｒと、レンズの中心厚さ又はレンズ間の距離ｄと、屈折率ｎｄと、アッベ数ｖとを表示している。表２には、円錐係数ｋと非球面係数を表示している。表３には、実施例における各数値及び条件式（１）〜（３）で限定されたパラメータに対応する数値を表示している。
【００３７】
【表１】
2018013759.tif 000003
【００３８】
【表２】
2018013759.tif 000004
【００３９】
【表３】
2018013759.tif 000005
【００４０】
表３に示すように、本実施例は条件式（１）〜（３）を満足する。
【００４１】
図２と図３を同時に参照すると、図２は図１に示す撮像レンズの像面湾曲を示す図であり、図３は表示された撮像レンズの歪みを示す図である。また、図２に示す像面湾曲Ｓは弧矢方向の像面湾曲であり、Ｔはメリジオナル方向の像面湾曲である。図２和図３に示すように、本発明に係る前記撮像レンズＬＡは優秀な光学特性を有する。
【００４２】
本発明に係る撮像レンズＬＡは以下の有益な効果を奏することができる。
（１）本発明は、面型を合理的に最適化し、屈折力を合理的に割り当て、光学材料を合理的に選択することにより、小型の電子デバイスに適用できる結像が鮮明な長焦点距離の撮像レンズＬＡを設計した。前記第１のレンズは正レンズであり、前記撮像レンズＬＡの主な屈折力を負担し、光学長さを効果的に減少することができる。前記第２のレンズは、高屈折率で低アッベ数の材料を採用することにより、前記撮像レンズＬＡの色差を効果的に減少することができる。これにより、前記撮像レンズＬＡが高結像性能を取得すると共に、低敏感度と高光通過量を有し、以下の優れた光学特性を有し、即ち、２ω＝７５°、ｆ／ＴＴＬ＞０．７５の長焦点距離系の小型化、ＦＮｏ＜２．５の高感度である。
【００４３】
（２）前記像面１９０は非平面構成とされ、共平面ではない複数の子像面から接合して形成され、且つ前記撮像レンズの光軸に対して対称的に設けられており、これにより、像面湾曲を較正し、光学特性を向上させることができる。
上述したものは、本発明の好ましい実施例に過ぎず、本発明の特許請求の範囲を限定するものではない。当業者は、依然として上記各実施例に記載された技術事項に対して、変更及び修正を行うことができる。本発明の主旨及び原則の枠組みから逸脱せずに行われる等価的な変換や改良などは、全て本発明の特許請求の範囲内に含まれる。
【図１】
2018013759.tif 000006
【図２】
2018013759.tif 000007
【図３】
2018013759.tif 000008
【手続補正書】
【提出日】平成29年11月22日(2017.11.22)
【手続補正１】
【補正対象書類名】特許請求の範囲
【補正対象項目名】全文
【補正方法】変更
【補正の内容】
【特許請求の範囲】
【請求項１】
物体側から像面側へ順次に正の屈折力を有する第１のレンズと、負の屈折力を有する第２のレンズと、正の屈折力を有する第３のレンズとが設けられ、且つ以下の条件式（１）〜（３）を満足する撮像レンズであって、
０．７＜ｆ１／ｆ＜０．９                    （１）
−５＜ｆ２／ｆ＜−２．５                    （２）
１．６＜ｆ３／ｆ＜５．８                    （３）
前記撮像レンズはさらに以下の条件式（１ａ）〜（３ａ）を満足し、
２．０ｍｍ＜ｆ１＜３．０ｍｍ                （１ａ）
−１０ｍｍ＜ｆ２＜−８．５ｍｍ              （２ａ）
８．５ｍｍ＜ｆ３＜１５ｍｍ                  （３ａ）
前記撮像レンズのＦ値であるＦＮｏが、ＦＮｏ＜２．５を満足することを特徴とする撮像レンズ。
但し、
ｆ：前記撮像レンズ全体の焦点距離
ｆ１：第１のレンズの焦点距離
ｆ２：第２のレンズの焦点距離
ｆ３：第３のレンズの焦点距離、
ＦＮｏ：前記撮像レンズ全体の焦点距離と入射瞳径との比。
【請求項２】
前記撮像レンズはさらに以下の条件式（１ｂ）〜（３ｂ）を満足することを特徴とする請求項１に記載の撮像レンズ。
１．５０＜ｎ１＜１．５５                      （１ｂ）
１．６０＜ｎ２＜１．７０                      （２ｂ）
１．５０＜ｎ３＜１．５５                      （３ｂ）
但し、
ｎ１：第１のレンズの屈折率
ｎ２：第２のレンズの屈折率
ｎ３：第３のレンズの屈折率。
【請求項３】
前記撮像レンズはさらに以下の条件式（１ｃ）〜（３ｃ）を満足することを特徴とする請求項１に記載の撮像レンズ。
４０＜ｖ１＜６０                      （１ｃ）
１５＜ｖ２＜３０                      （２ｃ）
４０＜ｖ３＜６０                      （３ｃ）
但し、
ｖ１：第１のレンズのアッベ数
ｖ２：第２のレンズのアッベ数
ｖ３：第３のレンズのアッベ数。
【請求項４】
前記第１のレンズは正の屈折力を有するレンズであり、前記撮像レンズの主な屈折力を負担し、光学全長を減少することに有利であり、前記第１のレンズの焦点距離は２．０ｍｍ＜ｆ１＜３．０ｍｍという条件式を満足することを特徴とする請求項１に記載の撮像レンズ。
【請求項５】
前記第２のレンズは、高屈折率で低アッベ数の材料を採用して、色差を合理的に較正することができ、前記第２のレンズは１．６０＜ｎ２＜１．７０、１５＜ｖ２＜３０という条件式を満足することを特徴とする請求項１に記載の撮像レンズ。
但し、
ｎ２：第２のレンズの屈折率
ｖ２：第２のレンズのアッベ数。
【請求項６】
前記撮像レンズの焦点距離と光学全長との比は、以下の条件式を満足することを特徴とする請求項１に記載の撮像レンズ。
ｆ／ＴＴＬ＞０．７５
但し、
ｆ：前記撮像レンズ全体の焦点距離
ＴＴＬ：前記第１のレンズの物体側面から像面までの軸においての距離。
【請求項７】
前記撮像レンズはさらに前記第１のレンズと前記第２のレンズとの間に設けられる絞りを備えることを特徴とする請求項１に記載の撮像レンズ。
【請求項８】
前記第３のレンズと前記像面との間にはガラス平板ＧＦが配置され、
前記像面は共平面ではない複数の子像面から弧形で亘って接合して形成され、且つ前記撮像レンズの光軸に対して対称的に設けられ、前記像面の両端点から前記光軸の位置まで、隣接する子像面は、異なる平面に位置し、且つ前記ガラス平板ＧＦとの光軸においての距離は順次に大きくなり、前記像面は非平面構成であり、像面湾曲を較正することができることを特徴とする請求項１に記載の撮像レンズ。
【手続補正２】
【補正対象書類名】明細書
【補正対象項目名】０００７
【補正方法】変更
【補正の内容】
【０００７】
前記撮像レンズはさらに以下の条件式（１ａ）〜（３ａ）を満足する。
２．０ｍｍ＜ｆ１＜３．０ｍｍ            （１ａ）
−１０ｍｍ＜ｆ２＜−８．５ｍｍ          （２ａ）
８．５ｍｍ＜ｆ３＜１５ｍｍ              （３ａ）。
また前記撮像レンズのＦ値であるＦＮｏはＦＮｏ＜２．５という条件式を満足する。
但し、ＦＮｏは前記撮像レンズ全体の焦点距離と入射瞳径との比である。
【手続補正３】
【補正対象書類名】明細書
【補正対象項目名】００１３
【補正方法】削除
【補正の内容】
【手続補正４】
【補正対象書類名】明細書
【補正対象項目名】００１５
【補正方法】変更
【補正の内容】
【００１５】
本発明に係る撮像レンズの一つの好ましい実施例において、前記第３のレンズと前記像面との間にはガラス平板ＧＦが配置され、前記像面は共平面ではない複数の子像面から弧形で亘って接合して形成され、且つ前記撮像レンズの光軸に対して対称的に設けられ、前記像面の両端点から前記光軸の位置まで、隣接する子像面は、異なる平面に位置し、且つ前記ガラス平板ＧＦとの光軸においての距離は順次に大きくなり、前記像面は非平面構成であり、像面湾曲を較正することができる。